(57)【特許請求の範囲】
【請求項１】
基板上に記録層が形成され、更に前記基板の径方向に沿って、互いに対向する前記基板面か前記記録層のいずれか側に第１のトラックピッチで第１のピットが記録され、かつ前記記録層上の領域が第２のトラックピッチで第２のピットが記録されている第１の領域と前記第２のトラックピッチより狭い第３のトラックピッチで第３のピットが記録されている第２の領域とを有する光ディスク記録媒体において、
前記第２のピットの幅は、前記第３のピットに等しく、かつ前記基板に対する前記第２のピットの傾斜部の傾斜角は、前記第３のピットよりも小さいことを特徴とする光ディスク記録媒体。
【請求項２】
基板上に記録層が形成され、更に前記基板の径方向に沿って、互いに対向する前記基板面か前記記録層のいずれか側に第１のトラックピッチで第１のピットが記録され、かつ前記記録層上の領域が第２のトラックピッチで第２のピットが記録されている第１の領域と前記第２のトラックピッチより狭い第３のトラックピッチで第３のピットが記録されている第２の領域とを有する光ディスク記録媒体において、
前記第２のピットの形状は、前記第３のピットよりも大きく、かつ前記基板に対する前記第２のピットの傾斜部の傾斜角は、前記第３のピットと等しいことを特徴とする光ディスク記録媒体。
【発明の詳細な説明】
【技術分野】
【０００１】
本発明は、基板上に２層の記録層が積層された光ディスク記録媒体及びその再生方法に係わり、再生レーザ光を記録層側から照射した時に、再生レーザ光の入射側から遠い方の記録層に記録されている情報を安定して再生できる光ディスク記録媒体及びその再生方法に関するものである。
【背景技術】
【０００２】
光ディスクでは、ＣＤやＤＶＤが広く普及しているが、さらに青紫色レーザを用いるＨＤ−ＤＶＤ（Ｈｉｇｈ  Ｄｅｎｓｉｔｙ  Ｄｉｊｉｔａｌ  Ｖｅｒｓａｔａｉｌ  Ｄｉｓｃ）やＢＤ（Ｂｌｕｅ  ｒａｙ  Ｄｉｓｃ）が開発され、一部で実用化が始まっている。光ディスクの種類が増えるにつれて、ハイブリッド化した光ディスク記録媒体の実用化の要望が高まり、既にＣＤ用記録層とＤＶＤ用記録層を有するＣＤ／ＤＶＤ光ディスク、ＤＶＤ用記録層とＨＤ−ＤＶＤ用記録層とを有するＤＶＤ／ＨＤ−ＤＶＤ光ディスク、ＤＶＤ用記録層とＢＤ用記録層とを有するＤＶＤ／ＢＤ光ディスクなどが市販されている。
【０００３】
非特許文献１には、表面にＤＶＤ用ピットが形成されたディスク基板上にＢＤ用記録層が形成された光ディスクが記載されている。
非特許文献１に記載されている光ディスクは、中心孔を有した円板状のディスク基板表面にＤＶＤ用ピットが形成され、このＤＶＤ用ピット上にＢＤ用記録層が積層された構成を有し、半径方向に沿って、リードイン領域、データ領域が順次形成されている。リードイン領域には、広いトラックピッチのピットを有する第１リードイン領域と、この第１リードイン領域よりも外側に第１リードイン領域のトラックピッチよりも狭いトラックピッチのピットを有する第２リードイン領域とが形成されている。データ領域には、第２リードイン領域と同じトラックピッチのピットが形成されている。
【０００４】
そして、非特許文献２には、このＢＤ用記録層のリードイン領域における第１リードイン領域に記録されているピットのトラックピッチは、０．３５μｍであり、第２リードイン領域及びデータ領域に記録されているピットのトラックピッチは、０．３２μｍである。
【非特許文献１】ＢＤ−Ｈｙｂｒｉｄ規格書（Ｆｉｇｕｒｅ２−３  Ｅｘａｍｐｌｅ）
【非特許文献２】ＢＤ−ＲＯＭ規格書（３．２．２  Ｔｒａｃｋ  ｐｉｔｃｈ）
【発明の開示】
【発明が解決しようとする課題】
【０００５】
ところで、ＢＤ用記録層側から再生レーザ光を入射させて、第１，第２リードイン領域間に跨ってリードイン領域内のＤＶＤ用ピットを再生する際に、第１リードイン領域から入射してＤＶＤ用ピットに到達する再生レーザ光の光透過量と第２リードイン領域から入射してＤＶＤ用ピットに到達する再生レーザ光の光透過量が異なる。
【０００６】
このため、ＤＶＤ用ピットで反射して得られる再生レーザ光の戻り光を検出することによって得られる再生信号、フォーカスエラー信号やトラッキングエラー信号は、不安定になる。このため、安定した再生を行うことができないといった問題を生じる。
また、ＢＤ用記録層とＤＶＤ用ピットとの間に偏芯がある場合にも同様な問題を生じる。
【０００７】
そこで、本発明は、上記のような問題点を解消するためになされたもので、２層の記録層を有し、かつ再生レーザ光の入射側から見て近い側の記録層にトラックピッチが異なるピットが記録された２つの領域を有する光ディスク記録媒体を再生する際に、再生レーザ光の入射側から見て、遠い側の記録層を安定した再生が可能な光ディスク記録媒体及びその再生方法を提供することを目的とする。
【課題を解決するための手段】
【０００８】
本願発明における第１の発明は、基板上に記録層が形成され、更に前記基板の径方向に沿って、互いに対向する前記基板面か前記記録層のいずれか側に第１のトラックピッチで第１のピットが記録され、かつ前記記録層上の領域が第２のトラックピッチで第２のピットが記録されている第１の領域と前記第２のトラックピッチより狭い第３のトラックピッチで第３のピットが記録されている第２の領域とを有する光ディスク記録媒体において、前記第２のピットの幅は、前記第３のピットに等しく、かつ前記基板に対する前記第２のピットの傾斜部の傾斜角は、前記第３のピットよりも小さいことを特徴とする光ディスク記録媒体を提供する。
第２の発明は、基板上に記録層が形成され、更に前記基板の径方向に沿って、互いに対向する前記基板面か前記記録層のいずれか側に第１のトラックピッチで第１のピットが記録され、かつ前記記録層上の領域が第２のトラックピッチで第２のピットが記録されている第１の領域と前記第２のトラックピッチより狭い第３のトラックピッチで第３のピットが記録されている第２の領域とを有する光ディスク記録媒体において、前記第２のピットの形状は、前記第３のピットよりも大きく、かつ前記基板に対する前記第２のピットの傾斜部の傾斜角は、前記第３のピットと等しいことを特徴とする光ディスク記録媒体を提供する。
【発明の効果】
【０００９】
本発明によれば、第２のピットの幅は、第３のピットに等しく、かつ基板に対する第２のピットの傾斜部の傾斜角は、第３のピットよりも小さく、または、第２のピットの形状は、第３のピットよりも大きく、かつ基板に対する第２のピットの傾斜部の傾斜角は、第３のピットと等しいので、第１のピットして記録されている情報を安定して再生できる。
更に、再生レーザ光が記録層の第１の領域と第２の領域との境界をまたぐ領域を避けてイコライザ特性の調整を行った後、第１のピットから前記情報を再生するので、精度の良い再生信号、フォーカスエラー信号やトラッキングエラー信号を得ることができ、安定した再生ができる。
【発明を実施するための最良の形態】
【００１０】
以下、本発明の各実施形態に係る光ディスク記録媒体およびその再生方法について図１〜図７を用いて説明する。
まずは、第１の実施の形態について図１乃至図４を用いて説明する。
図１は、本発明の第１の実施の形態における光ディスク記録媒体を示す断面図である。図２は、ＢＤ用記録層の第１，第２リードイン領域に記録されているピットを示す拡大図である。図３は、カッティング装置を示す図である。図４は、記録レンズの開口数ＮＡと再生レーザ光がＢＤ用記録層を透過する光透過率との関係を示す図である。
【００１１】
図１（Ａ），（Ｂ）に示すように、第１の実施の形態に係る光ディスク記録媒体１は、中心孔２Ａを有する円板状の第１ディスク基板２上に０．７４μｍのトラックピッチのＤＶＤ用ピット３が形成され、このＤＶＤ用ピット３上にＢＤ用記録層４と、保護層５とが順次積層された構成を有する。
更に、光ディスク記録媒体１の半径方向には、リードイン領域６と、このリードイン領域６の外側にデータ領域７とが形成されている。
【００１２】
リードイン領域６は、内周側から外周側に向って、記録再生を行うための必須の情報が収納された第１リードイン領域６Ａと、付加情報が収納された第２リードイン領域６Ｂとからなる。
ＢＤ用記録層４の第１リードイン領域６Ａには、０．３５μｍのトラックピッチでピット８が記録され、第２リードイン領域６Ｂには、０．３２μｍのトラックピッチでピット９が記録されている。ＢＤ用記録層４のデータ領域７には、第２リードイン領域６Ｂと同じ０．３２μｍのトラックピッチでピット１０が記録されている。
【００１３】
リードイン領域６及びデータ領域７に記録されているＤＶＤ用ピット３，ピット８〜１０以外のＤＶＤ用ピット３及びＢＤ用記録層４の領域は、再生レーザ光を透過するミラー面Ｐとなっている。ピット８とピット９の幅は、同じである。また、ＢＤ用記録層４の第１、第２リードイン領域６Ａ，６Ｂ及びデータ領域７に記録されているピット８〜１０の線記録密度は同じである。
以下では、ピット幅というときは、ピット８における底部８Ｂを挟んだ傾斜部８Ａ，８Ａの中心間の距離、ピット９における底部９Ｂを挟んだ傾斜部９Ａ，９Ａの中心間の距離をいう。
【００１４】
図２（Ａ）に示すように、ＢＤ用記録層４の第１リードイン領域６Ａに記録されているピット８の傾斜部８Ａが底部８Ｂに対してなす角度は、４１°〜４３°である。図２（Ｂ）に示すように、第２リードイン領域６Ｂに記録されているピット９の傾斜部９Ａが底部９Ｂに対してなす角度は、４５°である。このように、ピット９の傾斜部９Ａは、ピット８の傾斜部８Ａよりも急峻な傾斜角を有している。
以下では、ピットの傾斜部の傾斜角というときは、このピットの底部に対する傾斜部の傾き角をいう。
【００１５】
ここで、ピット９の傾斜部９Ａの傾斜角をピット８の傾斜部８Ａよりも急峻にしている理由について説明する。
第１リードイン領域６Ａのトラックピッチは、第２リードイン領域６Ｂよりも広いので、同形状のピットが記録されている場合には、第１リードイン領域６Ａに記録されているピット８の密度は、第２リードイン領域６Ｂに記録されているピット９の密度よりも低い。このため、ＤＶＤ用ピット３を検出して情報の再生を行う場合には、ＤＶＤ用記録層４を透過する再生レーザ光の透過量は、第２リードイン領域６Ｂの方が第１リードイン領域６Ａよりも再生レーザ光が透過するミラー面Ｐの面積が少ないので、小さくなる。
【００１６】
このため、ピット８の傾斜部８Ａで反射される再生レーザ光をピット９の傾斜部９Ａで反射される再生レーザ光より大きくなるように、第２リードイン領域６Ｂに記録されているピット９の傾斜部９Ａの傾斜角を第１リードイン領域６Ａに記録されているピット８の傾斜部８Ａの傾斜角よりも急峻にして、ＢＤ用記録層４の第１，第２リードイン領域６Ａ，６Ｂを透過する再生レーザ光の光透過量を等しくするようにしている。
【００１７】
次に、ＢＤ用記録層４上にピット８〜１０が形成された光ディスクの作製方法について図３を用いて説明する。
図３は、ガラス原盤を作製するためのカッティング装置を示す図である。
まずは、カッティング装置１１の構成について説明する。
カッティング装置１１は、ガラス基板上にフォトレジストが塗布されたガラス原盤１２を露光するためのガスレーザ１３と、外部から供給される記録信号によりガスレーザ１３から出射されるレーザ光を変調する光変調器１４と、光変調器１４で変調されたレーザ光のビーム径を拡大してカッティング光とするビームエキスパンダ１５と、ビームエキスパンダ１５から出射されるカッティング光の径を絞る可変絞り器１６と、可変絞り器１６で絞られたカッティング光を反射する反射ミラー１７と、反射ミラー１７で反射されたカッティング光をガラス原盤１２に集光するための記録レンズ１８とから構成されている。
【００１８】
次に、カッティング光によりガラス原盤１２のフォトレジストを露光して異なる径のフォトレジストパターンを形成する方法について説明する。
ガスレーザ１３からレーザ光を出射させ、このレーザ光を光変調器１４で変調を行った後、このレーザ光のビーム径をビームエキスパンダ１５で広げる。次に、ビームエキスパンダ１５で広げられたレーザ光のビーム径を可変絞り器１６で絞った後、反射ミラー１７で反射させ、更に記録レンズ１８でガラス原盤１２のフォトレジストを露光するカッティングを行ってフォトレジストパターンを形成する。
【００１９】
この際、前述した光ディスク記録媒体１におけるＢＤ用記録層４の第１，第２リードイン領域６Ａ，６Ｂにそれぞれ記録されているピット８〜１０に対応するフォトレジストパターンは、可変絞り器１６の絞りを変化させることにより形成できる。即ち、ピット８に対応するフォトレジストパターンは、可変絞り器１６の絞りを変化させて記録レンズ１８の開口数（Ｎｕｍｅｒｉｃａｌ  Ａｐｅｒｔｕｒｅ）を０．７にし、ピット９，１０に対応するフォトレジストパターンは、可変絞り器１６の絞りを変化させて記録レンズ１８の開口数を０．９にする。
【００２０】
次に、ピット８〜１０に対応するフォトレジストパターンを有するガラス原盤１２の現像を行う。
フォトレジストパターンの溝の側壁は、記録レンズ１８の開口数が大きいほど急峻になるため、開口数０．７で形成したものよりも開口数０．９で形成したものの方が急峻になる。
次に、このガラス原盤１２を用いて、電鋳法により図示しないスタンパを作製する。次に、この図示しないスタンパを用いて、予めＢＤ用記録層４が形成されたディスク基板２上に射出成形によって転写を行い、図１に示す光ディスク記録媒体１を作製する。
この際、光ディスク記録媒体１に記録されているピット８〜１０は、ガラス原盤１２に形成されたフォトレジストパターンと同じ形状である。
【００２１】
即ち、図２（Ａ）に示したピット８は、開口数ＮＡが０．７の記録レンズ１８のカッティング装置１１を用いて作製されたガラス原盤１２から得られた光ディスク記録媒体１のＢＤ用記録層４に記録されたものであり、図２（Ｂ）に示したピット９は、開口数ＮＡが０．７よりも大きな開口数ＮＡが０．９の記録レンズ１８のカッティング装置１１を用いて作製されたガラス原盤１２から得られた光ディスク記録媒体１のＢＤ用記録層４に記録されたものである。ピット９の傾斜部９Ａの傾斜角度は、ピット８の傾斜部８Ａの傾斜角度よりも急峻になっている。
【００２２】
ここで、上記のようにして作製された光ディスク記録媒体１を再生レーザ光を用いて、ＤＶＤ用ピットを再生する際、カッティング装置１１に用いられた記録レンズ１８の開口数ＮＡと再生レーザ光がＢＤ用記録層４を透過する光透過率との関係について調べた。その結果を図４に示す。
図４中、横軸は、記録レンズ１８の開口数ＮＡ、縦軸は、再生レーザ光がＢＤ用記録層４を透過する光透過率（％）である。
図４に示すように、開口数ＮＡの大きい記録レンズ１８を用いて作製されたガラス原盤１２から得られた光ディスク記録媒体１の方が開口数ＮＡの小さい記録レンズ１８を用いて作製されたガラス原盤１２から得られた光ディスク記録媒体１よりも、再生レーザ光がＢＤ用記録層４を透過する光透過率は、増加する傾向を示している。
【００２３】
再生レーザ光により照射されるピット８の傾斜部８Ａの面積は、ピット９の傾斜部９Ａよりも大きいので、再生レーザ光がピット９の傾斜部９Ａよりもピット８の傾斜部８Ａで反射される割合が増加する。即ち、再生レーザ光の光透過量は、ピット８よりもピット９の方が増す。このように、第２リードイン領域６Ｂに記録されているピット９を透過する再生レーザ光の光透過量を第１リードイン領域６Ａに記録されているピット８よりも増加させて、ＢＤ用記録層４の第１，第２リードイン領域６Ａ，６Ｂをそれぞれ透過する再生レーザ光の光透過量を略等しくさせることができる。このため、再生レーザ光が第１，第２リードイン領域６Ａ，６Ｂに跨った場合でも、第１，第２リードイン領域６Ａ，６Ｂを透過してＤＶＤ用ピット３を照射する再生レーザ光の光透過量の変化を小さく抑えることができる。
【００２４】
以上のように、ＢＤ用記録層４における第２リードイン領域６Ｂに記録されているピット９の傾斜部９Ａを第１リードイン領域６Ａに記録されているピット８の傾斜部８Ａよりも急峻な角度にしたので、ＤＶＤ用ピット３を再生する際に、第１リードイン領域６Ａと第２リードイン領域６Ｂとを透過する再生レーザ光の光透過量の変化を小さく抑えることができる。このため、光ディスク記録媒体１の安定した再生、フォーカスエラーサーボ制御やトラッキングエラーサーボ制御を行うことができる。
【００２５】
次に、第２の実施の形態について図５及び図６を用いて説明する。
図５は、本発明の第２の実施の形態における光ディスク記録媒体のリードイン領域近傍の拡大平面図である。図６は、ガラス原盤のフォトレジストを照射する記録パワーと再生レーザ光がＢＤ用記録層を透過する光透過率との関係を示す図である。
図５に示すように、第２の実施の形態に係る光ディスク記録媒体１９は、ＢＤ用記録層４の第１リードイン領域６Ａに記録されているピット８の形状は、第２リードイン領域６Ｂに記録されているピット９よりも大きく、かつディスク基板２に対するピット８の傾斜部の傾斜角は、ピット９に等しくしたものであり、それ以外は同様である。
【００２６】
ここで、ガラス原盤１２のフォトレジストを照射するカッティング光の記録パワーと再生レーザ光がＢＤ用記録層４を透過する光透過率との関係について調べた。
ＢＤの場合には、ピットとそれ以外の面から得られる再生信号の対象性が−１０％〜＋１５％と規格により定められているので、カッティングの際には、これを満たす範囲内で記録パワーを変化させることが必要である。上記したことを考慮して、カッティング光の記録パワーを標準記録パワーに対して０．９５倍及び１．０５倍にしてガラス原盤１２を作製し、このガラス原盤１２を用いて光ディスク記録媒体１を作製した。この時の記録レンズ１８の開口数は、０．９である。その結果を図６に示す。
【００２７】
図６中、横軸は、カッティング光の記録パワー（相対値）、縦軸は、再生レーザ光がＢＤ用記録層４を透過する光透過率（％）である。図６中、縦軸の記録パワーは、標準記録パワーを１とした時の相対値を示している。
図６に示すように、カッティング光の記録パワーの増加と共にＢＤ用記録層４を透過する再生レーザ光の光透過率は、減少する傾向に示している。
【００２８】
図５（Ａ）に示すピット８は、カッティング装置１１を用いて、標準記録パワーの１．０５倍のカッティング光の記録パワーでカッティングして作製されたガラス原盤１２から得られたものであり、図４（Ｂ）に示すピット９は、カッティング装置１１を用いて、規格標準記録パワーの０．９５倍のカッティング光の記録パワーでカッティングして作製されたものである。一般的に、ピットの形状は、記録パワーの増加と共に大きくなるため、ピット８の形状は、ピット９よりも大きくなる。
【００２９】
第２の実施の形態によれば、第１の実施の形態の効果に加え、ＢＤ用記録層４の第１，第２リードイン領域６Ａ，６Ｂをそれぞれ透過する再生レーザ光の光透過量を略等しくするために、記録パワーを変化させるだけで作製されたガラス原盤１２を用いて光ディスク記録媒体１が得られるので、生産性が向上する。
【００３０】
次に、第３の実施の形態について、図７を用いて説明する。
図７は、光ディスク記録再生装置を示す図である。
まずは、光ディスク記録媒体１の記録又は再生を行う光ディスク記録再生装置２０について説明する。
図７に示すように、光ディスク記録再生装置２０は、光ディスク記録媒体１を回転させるためのスピンドルモータ２１と、光ディスク記録媒体１に情報をピットとして記録又は、この情報を再生するための光ピックアップ２２と、外部から供給される記録信号を符号化する記録符号化回路２３と、記録符号化回路２３で符号化された記録信号に基づいて、光ピックアップ２２から出射されるレーザ光を変調するレーザドライバ２４とを有している。
【００３１】
ここで、光ピックアップ２２は、波長４２０〜４３０ｎｍのレーザ光或いは波長６３０〜６５０ｎｍのレーザ光を出力する半導体レーザ素子２２Ａ、半導体レーザ素子２２Ａから出射されるレーザ光を光ディスク記録媒体１の各記録層に集光するための対物レンズ２２Ｂと、光ディスク記録媒体１からの戻り光を検出するための光検出器２２Ｃとを有する。
【００３２】
更に、光ディスク記録再生装置２０は、光ピックアップ２２内の半導体レーザ素子２２Ａから光ディスク記録媒体１のＢＤ用記録層４或いはＤＶＤ用ピット３に再生レーザ光を出射して、ここで反射された戻り光を光ピックアップ２２内の光検出器２２Ｃで検出して得た信号を増幅するヘッドアンプ２５と、ヘッドアンプ２５で増幅された信号を所定の値にイコライズするイコライザ２６と、ヘッドアンプ２５で増幅された信号から再生信号を検出する再生検出回路２７と、イコライザ２６でイコライズ調整された信号に基づいて信号或いはヘッドアンプ２５で増幅された信号に基づいて、フォーカスエラー信号やトラッキングエラー信号を生成して光ピックアップ２２のサーボ動作を行わせるサーボ回路２８と、全体を制御する制御信号を与えるシステムコントローラ２９とを有する。
【００３３】
次に、光ディスク記録媒体１の記録方法について説明する。
システムコントローラ２９からの指示信号に基づいて、外部から記録信号を記録符号化回路２３に供給して符号化した後、この符号化された記録信号を用いて、レーザドライバ２４から光ディスク記録媒体１へ記録するためのストラティジを光ピックアップ２２へ出力する。光ピックアップ２２内の半導体レーザ素子２２Ａから出射される波長４２０〜４３０ｎｍ或いは６３０〜６５０ｎｍのレーザ光をストラティジに基づいて変調を行い、この変調されたレーザ光を光ピックアップ２２の対物レンズ２２Ｃで光ディスク記録媒体１の保護層５側から照射してＢＤ用記録層４或いはＤＶＤ用ピット３に集光させて、情報としてのピットを記録する。
【００３４】
次に、第３の実施の形態の光ディスク記録媒体１の再生方法について説明する。
光ディスク記録媒体１の再生を行う前に第１リードイン領域６Ａ及び第２リードイン領域６Ｂの境界領域を避けて安定した再生信号が得られるようにイコラザ２６により初期調整を行う。
システムコントローラ２９からの指示信号に基づいて、光ピックアップ２２内の半導体レーザ素子２２Ａから波長４２０〜４３０ｎｍ或いは６３０〜６５０ｎｍのレーザ光を出射させて、対物レンズ２２Ｃを介して光ディスク記録媒体１の保護層５側から入射させ、光ディスク記録媒体１のＢＤ用記録層４或いはＤＶＤ用ピット３に照射する。
【００３５】
このＢＤ用記録層４或いはＤＶＤ用ピット３で反射された戻り光を対物レンズ２２Ｂを介して光検出器２２Ｃに入射させる。この光検出器２２Ｃに入射した戻り光を電気信号に光電変換した後、ヘッドアンプ２５で増幅する。次に、ヘッドアンプ２５で増幅された電気信号をイコライザ２６で所定の値にイコライズ調整する。再生検出回路２７でイコライズされた電気信号から再生信号、フォーカスエラー信号やトラッキングエラー信号を検出して光ディスク記録媒体１のＢＤ用記録層４或いはＤＶＤ用ピット３に記録されている情報を再生、トラッキングサーボ制御やフォーカスサーボ制御を行う。イコライズ調整は、最短ピット、最長ピット等の固定パターンの記録されたリファレンス領域から得られる再生信号を用いて行う。また、光ディスクの記録再生に伴って行われるキャリブレーションは、予め用意されたキャリブレーション用領域のＲＦ出力やジッタ等を検出して行う。
【００３６】
以上のように、光ディスク記録媒体１の再生を行う前に第１リードイン領域６Ａ及び第２リードイン領域６Ｂの境界領域を避けて安定した再生信号が得られるようにイコラザ２６によりイコライズ調整を行うので、精度の良い再生信号、フォーカスエラー信号やトラッキングエラー信号を得ることができ、安定したＤＶＤ用ピット３の再生ができる。
【図面の簡単な説明】
【００３７】
【図１】本発明の第１の実施の形態における光ディスク記録媒体を示す断面図である。
【図２】ＢＤ用記録層の第１，第２リードイン領域に記録されているピットを示す拡大図である。
【図３】カッティング装置を示す図である。
【図４】記録レンズの開口数ＮＡと再生レーザ光がＢＤ用記録層を透過する光透過率との関係を示す図である。
【図５】本発明の第２の実施の形態における光ディスク記録媒体のリードイン領域近傍の拡大平面図である。
【図６】ガラス原盤のフォトレジストを照射する記録パワーと再生レーザ光がＢＤ用記録層を透過する光透過率との関係を示す図である。
【図７】光ディスク記録再生装置を示す図である。
【符号の説明】
【００３８】
１，１９…光ディスク記録媒体、２…第１ディスク基板、３…ＤＶＤ用ピット、４…ＢＤ用記録層、５…保護層、６…リードイン領域、６Ａ…第１リードイン領域、６Ｂ…第２リードイン領域、７…データ領域、８，９，１０…ピット、１１…カッティング装置、１２…ガラス原盤、１３…ガスレーザ、１４…光変調器、１５…ビームエキスパンダ、１６…可変絞り器、１７…反射ミラー、１８…記録レンズ、２０…光ディスク記録再生装置、２１…スピンドルモータ、２２…光ピックアップ、２３…記録符号化回路、２４…レーザドライバ、２５…ヘッドアンプ、２６…イコライザ、２７…再生検出回路、２８…サーボ回路、２９…システムコントローラ
【図１】
0004529945.tif 000002
【図２】
0004529945.tif 000003
【図３】
0004529945.tif 000004
【図４】
0004529945.tif 000005
【図５】
0004529945.tif 000006
【図６】
0004529945.tif 000007
【図７】
0004529945.tif 000008